(57)【特許請求の範囲】
【請求項１】
第１の表面と、
複数の交差するチャネルと、ここで、前記交差するチャネルの各々は、前記第１の表面から窪んでいる凹状面を有し、かつ、長さが幅よりも大きいように、前記長さ、前記幅、および深さを有する、
マイクロフォンポートが前記交差するチャネルの前記凹状面と面一であるように、前記交差するチャネル内に配置された少なくとも１つのマイクロフォンポートとを備える、
ハンドヘルド電子デバイス。
【請求項２】
前記交差するチャネルの前記長さが前記深さよりも大きい、請求項１に記載のデバイス。
【請求項３】
前記交差するチャネルの前記深さが前記チャネルの前記幅の約１／２である、請求項１に記載のデバイス。
【請求項４】
前記交差するチャネルが、２つのチャネルから成る、請求項１に記載のデバイス。
【請求項５】
前記少なくとも１つのマイクロフォンポートが、前記交差するチャネルの両端に位置決めされる２つのマイクロフォンポートから成る、請求項１に記載のデバイス。
【請求項６】
デバイスの第１の軸に沿って配向される第１の細長いチャネルと、前記第１のチャネルと第２のチャネルとが交差するように前記デバイスの第２の軸に沿って配向される前記第２の細長いチャネルとを有する第１の表面と、ここにおいて、前記第１および第２の細長いチャネルの各々は、前記第１の表面から窪んでいる凹状面を有する、
第１のマイクロフォンポートが前記凹状面と面一であるように、前記チャネル内の前記チャネルの交点に配置される第１のマイクロフォンポートと、
第２のマイクロフォンポートが前記凹状面と面一であるように、前記第１の細長いチャネル内に配置される第２のマイクロフォンポートと、
第３のマイクロフォンポートが前記凹状面と面一であるように、前記第２の細長いチャネル内に配置される第３のマイクロフォンポートと
を備えるハンドヘルドデバイス。
【請求項７】
前記第１のマイクロフォンポートと前記第２のマイクロフォンポートとが前記第１の細長いチャネルによって画定される第１の線に沿って配置され、前記第１のポートと前記第３のポートとが前記第２の細長いチャネルによって画定される第２の線に沿って配置される、請求項６に記載のデバイス。
【請求項８】
前記第１および第２の線が９０度の角度で交差する、請求項７に記載のデバイス。
【請求項９】
前記第１の細長いチャネル及び前記第２の細長いチャネルから成るチャネルが「Ｌ」字形であり、前記第１のマイクロフォンポートが前記交点に配置され、前記第２のマイクロフォンポートが前記第１のチャネルの第１の端部に配置され、前記第３のマイクロフォンポートが前記第２のチャネルの端部に配置される、請求項６に記載のデバイス。
【請求項１０】
前記デバイスが、セルフォンまたはタブレット型コンピュータである、請求項６に記載のデバイス。
【請求項１１】
前記第１の表面が、前記デバイスの裏面である、請求項６に記載のデバイス。
【請求項１２】
前記第１の細長いチャネルが、その幅よりも大きい長さを有する、請求項６に記載のデバイス。
【請求項１３】
前記第２の細長いチャネルが、その幅よりも大きい長さを有する、請求項１２に記載のデバイス。
【請求項１４】
前記第１の細長いチャネルが、前記デバイスの前面の凹型チャネルである、請求項６に記載のデバイス。
【請求項１５】
第１の表面と、
前記第１の表面の下に第１のマイクロフォンポート開口を位置決めするための手段と、ここで、第１のマイクロフォンポート開口を位置決めするための前記手段が、前記第１の表面に形成された細長いチャネルを備える、
前記第１の表面の下に第２のマイクロフォンポート開口を位置決めするための手段と、
前記第１の表面の下に第３のマイクロフォンポート開口を配置するための手段と
を備える電子デバイス。
【請求項１６】
第２のマイクロフォンポート開口を位置決めするための前記手段が、前記第１の表面に形成された細長いチャネルを備える、請求項１５に記載の電子デバイス。
【請求項１７】
前記第１のマイクロフォンポート開口を位置決めするための前記手段と、前記第２のマイクロフォンポート開口を位置決めするための前記手段とが、同じ細長いチャネルである、請求項１５に記載の電子デバイス。
【請求項１８】
前記細長いチャネルが、前記電子デバイスの裏面である、前記第１の表面に形成される、請求項１７に記載の電子デバイス。
【発明の詳細な説明】
【技術分野】
【０００１】
[0001]本明細書で開示するシステムおよびデバイスは、一般に、マイクロフォンポートに関し、より詳細には、ポートに対する接触によって生成されるノイズを最小限に抑えるマイクロフォンポートの構成に関する。
【背景技術】
【０００２】
[0002]電子デバイスは、時々、マイクロフォンが一時的なまたは持続した気流または空気圧の乱れ、たとえば「ポッピング」の圧力変化または風騒音などを受ける状況で使用され得る。いくつかの状態では、マイクロフォンに入射する気流または圧力変化は、マイクロフォンによって拾われ、マイクロフォンの使用に干渉し、不快なおよび気が散るノイズをユーザに提供する望ましくないノイズ信号を生成するくらいかなりの量であり得る。たとえば、通話の間、聞き取れる気流雑音は、リスナーの側で聞くのが困難な音の伝達を作り得る。
【０００３】
[0003]一般的に、ポータブル電子デバイスでは、いくつかのタイプの全指向性マイクロフォンが使用されている。全指向性マイクロフォンは、指向性マイクロフォンと比較して、マイクロフォンに吹き込む空気からの風騒音にあまり敏感ではないと考えられるが、マイクロフォンポートの被覆による風騒音またはスクラッチは、しばしば問題のままである。ノイズ消去アルゴリズムは、問題を根絶し、音響パフォーマンスを向上させるために使用され得るが、そのような電子ソリューションは、電力消費を必要とし、たとえばセルフォンおよびタブレットなど、限られたバッテリー容量を有する電子デバイスにおいて常に適切とは限らない。
【０００４】
[0004]さらに、従来のマイクロフォンポート設計は、ユーザの手または指によって容易に覆われ得る小さい開口を含み得る。マイクロフォンポートを覆うことは、マイクロフォンポート開口において空気を閉じ込め得る。マイクロフォンポート内のこの閉じ込められた空気は、ユーザにとって望ましくない大きいスクラッチノイズをもたらすポート内の空気振動につながり得、結果として低品質のマイクロフォンレコーディングまたは送信になり得る。
【発明の概要】
【０００５】
[0005]これらの問題点に対処するために、本明細書で開示する実施形態は、ハンドヘルドデバイスケース設計、特に、ケースにおけるマイクロフォンポート開口の設計に関する。一態様では、人間の人さし指の幅よりも長いハンドヘルドデバイスケースに、細長い切り欠きまたは凹型溝が形成される。したがって、マイクロフォンポート開口を囲むエリアから空気を逃すことが可能であり得、不要なスクラッチまたはポップノイズをもたらし得るマイクロフォンポート開口の近くの望ましくない圧力変化のリスクを最小限に抑える。
【０００６】
[0006]一実施形態では、ハンドヘルド電子デバイスは、長さが幅よりも大きいように、長さ、幅、および深さを有する少なくとも１つの細長いチャネルを備える第１の表面と、マイクロフォンポートが第１の表面のレベルの下に配置されるように、チャネル内に配置された少なくとも１つのマイクロフォンポートとを含む。チャネルは、細長いチャネルがユーザの指によって接触される場合、空気の振動を細長いチャネル内から逃すことが可能なように構成される。
【０００７】
[0007]別の実施形態では、ハンドヘルドデバイスは、デバイスの第１の軸に沿って配向される第１の細長いチャネルと、第１のチャネルと第２のチャネルとが交差するようにデバイスの第２の軸に沿って配向される第２の細長いチャネルとを有する第１の表面を含む。デバイスは、チャネル内のチャネルの交差点に配置される第１のマイクロフォンポートと、第１の細長いチャネル内に配置される第２のマイクロフォンポートと、第２の細長いチャネル内に配置される第３のマイクロフォンポートとをさらに含む。
【０００８】
[0008]別の実施形態では、電子デバイスは、第１の表面と、第１の表面の下に第１のマイクロフォンポート開口を位置決めするための手段と、第１の表面の下に第２のマイクロフォンポート開口を位置決めするための手段と、第１の表面の下に第３のマイクロフォンポート開口を配置するための手段とを含む。
【図面の簡単な説明】
【０００９】
【図１Ａ】[0009]従来のマイクロフォンポート設計を有する電子デバイスの従来技術のケースの部分図を示す概略図。
【図１Ｂ】[0010]本発明の一実施形態によるマイクロフォンポート設計を有する電子デバイスのケースの部分図を示す概略図。
【図２Ａ】[0011]マイクロフォンポート設計の一実施形態の上面図を示す概略図。
【図２Ｂ】[0012]図２Ａに示した実施形態の側断面図を示す概略図。
【図３Ａ】[0013]マイクロフォンポートが片側に配置されているマイクロフォンポート設計の別の実施形態の上面図を示す概略図。
【図３Ｂ】[0014]図３Ａに示した実施形態の側断面図を示す概略図。
【図４Ａ】[0015]複数の交差するチャネルを有するマイクロフォンポート設計の別の実施形態の上面図を示す概略図。
【図４Ｂ】[0016]複数のマイクロフォンと複数の交差するチャネルとを有するマイクロフォンポート設計の別の実施形態の上面図を示す概略図。
【図５Ａ】[0017]複数のマイクロフォンを有する「Ｌ」字形のマイクロフォンポート設計を有する電子デバイスのケースの部分図を示す概略図。
【図５Ｂ】[0018]マイクロフォンポート設計の代替の配向を示す概略図。
【図５Ｃ】[0019]マイクロフォンポート設計の第３の配向を示す概略図。
【図５Ｄ】[0020]マイクロフォンポート設計の第４の配向を示す概略図。
【図６Ａ】[0021]電子デバイス内のマイクロフォンポートの設置の一例を示す概略図。
【図６Ｂ】[0022]図６Ａに示した実施形態におけるマイクロフォンポートの設置を示す電子デバイスの裏面の概略図。
【図７Ａ】[0023]ユーザの手および指を含む電子デバイス上のマイクロフォンポートの配置の一例を示す概略図。
【図７Ｂ】[0024]図７Ａのマイクロフォンポート設計の線Ｃ−Ｃ’を通る側断面を示す概略図。
【図８】[0025]従来のマイクロフォンポートで記録されたスクラッチノイズと、本発明の一実施形態によるマイクロフォンポートで記録されたスクラッチノイズとを示すグラフ。
【図９】[0026]図８に示した記録されたスクラッチノイズの信号スペクトルを示すグラフ。
【発明を実施するための形態】
【００１０】
マイクロフォンポート設計の概要
[0027]本明細書で開示する実装形態は、ハンドヘルドデバイスまたは他の電子デバイスのマイクロフォンポート設計のためのデバイスおよび装置を提供する。ハンドヘルドデバイスは、ハンドセット、タブレット、電話、スマートフォン、ポータブル電子デバイス、電子ノートパッド、および／または携帯情報端末（ＰＤＡ）でもよい。ハンドヘルドデバイスは、セルラーネットワークおよび／または他の通信ネットワークを介して他のデバイスと通信することが可能であり得る。マイクロフォンポート設計は、マイクロフォンポートが手、指、皮膚、衣類、または他の表面もしくは材料によって完全に覆われると生成される、望ましくないスクラッチノイズを低減するために使用され得る。一態様では、マイクロフォンポートは、平均的な人間の指によって容易に完全にカバーすることができない、長い、狭い、および浅いチャネルに配置され得る。マイクロフォンポートがそのようなチャネル内に配置されるとき、空気振動は、上を覆っている指の回りから周囲環境に逃れることができる。したがって、空気は、マイクロフォンポート開口で閉じ込められず、それによって、ノイズがマイクロフォンに入ることが低減する。閉じ込められた空気の振動は、ユーザにとって望ましくない、大きいスクラッチノイズをもたらし得、低品質のマイクロフォンレコーディングまたは送信になり得る。
【００１１】
[0028]いくつかの態様では、チャネルは、約１インチの長さ、各々約１／１０インチの幅および深さを有し得る。他の態様では、チャネルは、約１３．３ｍｍ、または約１／２インチの長さを有し得る。いくつかの実施形態では、以下の図に示すように、ポートの開口がハンドヘルドデバイスのケースの外面の下に配置される状態で、マイクロフォンポートがチャネル内に配置され得る。マイクロフォンポートは、チャネル内で中央に配置され得る、またはチャネルのいずれかの側に配置され得る。さらに、１つまたは複数の交差するチャネルは、１つまたは複数のマイクロフォンポートが交差するチャネル内に配置される状態で構成され得る。
【００１２】
[0029]たとえば、いくつかの実施形態では、チャネルは、交差し、電子デバイスにおいて「Ｘ」または「＋」の形状を形成し得る。そのような実施形態では、１つまたは複数のマイクロフォンは、それらがユーザの指または他の物体による接触から保護されるように、溝に配置され得る。いくつかの実施形態では、２つまたは３つのマイクロフォンは、交差する溝内に配置される。
【００１３】
[0030]以下の説明では、例の完全な理解を与えるために具体的な詳細を与える。ただし、例はこれらの具体的な詳細なしに実践され得ることを当業者は理解されよう。たとえば、例を不必要な詳細において不明瞭にしないために、電気的構成要素／デバイスをブロック図で示すことがある。他の事例では、例をさらに説明するために、そのような構成要素、他の構造および技法を詳細に図示することがある。
【００１４】
[0031]電子デバイス内の従来のマイクロフォンポートの配置が図１Ａに示される。電子デバイス１００は、マイクロフォンポート開口５が配置される裏面１０５を有する。マイクロフォンポート５は、従来、電子デバイス６００内に配置されるマイクロフォンの上の小さい穴である。
【００１５】
[0032]図１Ａのデバイスとは対照的に、凹型チャネル内のマイクロフォンポートの配置の一実施形態が図１Ｂに示される。この図において、電子デバイス１０２は、一実装形態による凹型チャネル１０内に配置されるマイクロフォンポート開口５を含む裏面１１５を有する。より詳細に論じられるように、チャネルは、マイクロフォンポート開口５よりも大きい幅を有し得る。
【００１６】
[0033]図２Ａに示すように、電子デバイスのためのマイクロフォンポート設計は、マイクロフォンポート開口５と凹型チャネル１０とを含む。凹型チャネルは、図２Ａに示すチャネルの上面図または上から見た図に見られるように、長さＬと幅Ｗとを有し得る。凹型チャネル１０は、平均的な人間の人さし指の幅よりも長い長さＬを有し得る。いくつかの実施形態では、長さＬは、約０．７５インチと１インチとの間とすることができる。他の実施形態では、長さＬは、１０ｍｍと１５ｍｍとの間、または１０ｍｍと２５ｍｍとの間とすることができる。凹型チャネル１０は、長さＬ未満の幅Ｗを有し得る。いくつかの実施形態では、幅Ｗは、約１／１０インチであり得る。他の実施形態では、幅Ｗは、約１／４インチ以下であり得る。
【００１７】
[0034]図示の実施形態では、マイクロフォンポート開口５は、凹型チャネル１０の長さＬのほぼ中央に配置される。他の実施形態では、マイクロフォンポート開口５は、左端から右端までのチャネル１０の長さＬに沿った任意の位置に配置され得る。マイクロフォンポート開口５は、円形、楕円形、長方形、正方形、または他の形状として形成され得る。図２Ａは、チャネルの幅Ｗにほぼ等しい直径を有する円形のマイクロフォンポート開口５を示す。
【００１８】
[0035]図２Ａのマイクロフォンポート設計の線Ａ−Ａ’に沿った側断面図が図２Ｂに示される。チャネル１０は、電子デバイスの外面１５から深さＤ窪んでいる。いくつかの実施形態では、深さＤは、幅Ｗとほぼ同じであり得る。他の実施形態では、深さＤは、幅Ｗより大きくてもよく、またはより小さくてもよい。マイクロフォンポート開口５は、チャネルの凹状面と面一（flush）でもよい。他の実施形態では、図２Ｂに示されるものなど、マイクロフォンポート開口５は、チャネルの表面よりも低い、またはより窪んでいてもよい。凹型マイクロフォンポート開口５の深さは、電子デバイス内の回路基板上のマイクロフォンの配置に依存し得る。
【００１９】
[0036]電子デバイスのためのマイクロフォンポート設計の別の実施形態の上面図が図３Ａに示され得る。この実施形態では、マイクロフォンポート開口５は、凹型チャネル１０の片側に配置されている。図示のように、マイクロフォンポート開口５は、凹型チャネル１０のより右側に配置されている。他の実施形態では、マイクロフォンポート開口５は、凹型チャネル１０のいずれかの側に配置され得る。図２Ａに関して上記で論じたように、凹型チャネル１０は、平均的な人間の人さし指の幅Ｗよりも長い長さＬ’を有し得る。いくつかの実施形態では、長さＬは、約０．７５インチと１インチとの間とすることができる。他の実施形態では、長さＬは、１０ｍｍと１５ｍｍとの間、または１０ｍｍと２５ｍｍとの間とすることができる。凹型チャネル１０は、長さＬ未満の幅Ｗを有し得る。いくつかの実施形態では、幅Ｗは、約１／１０インチであり得る。他の実施形態では、幅Ｗは、約１／４インチ以下であり得る。
【００２０】
[0037]図３Ａのマイクロフォンポート設計の線Ｂ−Ｂ’に沿った側断面図が図３Ｂに示される。図２Ｂの場合のように、チャネル１０は、電子デバイスの外面１５から深さＤ窪んでいる。マイクロフォンポート開口５は、凹型チャネル１０の右側に配置されて示されている。他の実施形態では、マイクロフォンポート開口５は、凹型チャネル１０の長さに沿った任意のポイントに配置され得る。マイクロフォンポート開口５はまた、チャネル１０の内側凹状面の下に窪んで示されている。マイクロフォンポート開口５は、他の実施形態では、チャネル１０の内側凹状面と面一でもよい。前の図の場合のように、凹型チャネルの長さＬは、空気がマイクロフォンポート開口５の近くで閉じ込められないように、平均的な人間の指の幅Ｗよりも長い。
【００２１】
[0038]他の実施形態では、マイクロフォンポート設計は、たとえば図４Ａに示される設計など、複数の交差するチャネルを含み得る。この上面図では、マイクロフォンポート開口５は、脚１０ａと、脚１０ｂと、脚１０ｃと、脚１０ｄとを有する２つの凹型チャネルの交点に配置される。上記で論じられた実施形態のように、チャネルは、電子デバイスのケースの外面から指定された深さ窪み得る。各チャネルの脚１０ａ、脚１０ｂ、脚１０ｃ、および脚１０ｄは、同じ深さと、長さと、幅とを有していてもよく、または各チャネルの脚１０ａ、脚１０ｂ、脚１０ｃ、および脚１０ｄの寸法は異なっていてもよい。チャネルは、示されるように、９０度の角度で、またはいくつかの実施形態では４５度から１３５度に及ぶ他の角度で交差することができる。マイクロフォンポート開口５は、チャネルの凹状面と面一でもよく、またはチャネルの凹状面よりも下に配置されてもよい。
【００２２】
[0039]マイクロフォンポート開口５を囲むエリアと外部環境との間での空気の交換を可能にするために、各チャネルの全長は、平均的な人間の指の幅よりも大きくてもよい。いくつかの実施形態では、１つのチャネルは、平均的な人間の指の幅よりも短い長さを有し得、この場合、チャネルは、ユーザの指によって完全に覆われ得る。しかしながら、チャネルの交差により、空気は、他のチャネルを介して外部環境に逃れることができる。たとえば、人間の指は、脚１０ａ、脚１０ｂ、脚１０ｃ、または脚１０ｄのうちの１つを覆うことはできるが、空気は、依然として他の脚のうちの１つを介して外部環境に逃れることができる。この構成は、平均的な人間の指よりも長い長さを有する単一のチャネルと同様の利点を提供する。交差するチャネルの図示の例では、交差するチャネルの全エリアは、マイクロフォンポート開口５で空気を閉じ込めるのを防止するために、平均的な人間の指の指球のサイズよりも大きい。
【００２３】
[0040]マイクロフォンアレイを形成する複数のマイクロフォンポート開口５を有するマイクロフォンポート設計が図４Ｂに示される。１つのマイクロフォンポート開口５ａは、図４Ａに関して上記で論じられたように、２つの凹型チャネルの交点に配置され得る。２つの追加のマイクロフォンポート開口５ｂと５ｃとは、それぞれ、マイクロフォンポート開口５ａと、５ｂと、５ｃとが９０度の三角形を形成するように、脚１０ｄと脚１０ｃとにおいて凹型チャネルの端部の方に配置され得る。マイクロフォンポート開口５ｂと５ｃとは、すなわち脚１０ｄおよび脚１０ｃにおける交差する凹型チャネルの左端部および上端部に示される。他の実施形態では、マイクロフォンポート開口５ｂと５ｃとは、凹型チャネル（すなわち、脚１０ａおよび脚１０ｂにおける）の右端部および下端部に、または任意の他の組合せで配置され得る。マイクロフォンポート開口５ａと、５ｂと、５ｃとは、単一の線にあり得る、またはそれらは９０度の角度を形成し得る。脚１０ａと、脚１０ｂと、脚１０ｃと、脚１０ｄとは、電子デバイスの外面の下に第１、第２、または第３のマイクロフォンポート開口を位置決めするための１つの手段を備える。
【００２４】
[0041]上記で論じられたように、マイクロフォンポート開口５ａと、５ｂと、５ｃとは、チャネルの凹状面と面一でもよく、または凹状面よりも下に配置されてもよい。チャネルは、同じ長さ、幅、および深さ寸法を有していてもよく、または異なる寸法を有していてもよい。凹型チャネルのうちの１つまたは複数の脚が平均的な人間の指によって覆われる場合でも、図４Ｂに示されるマイクロフォンポート設計は、マイクロフォンポート開口５のうちのいずれかにおける閉じ込められた空気の蓄積を防止する。示される全体的なマイクロフォンポート設計は、それがユーザの指によって容易に完全に覆われないように、平均的な人間の指の指球よりも大きい。
【００２５】
[0042]マイクロフォンポート開口５ａと、５ｂと、５ｃとは、電子デバイスがビームフォーミングを実行することができるようにするために、指定された距離離れて凹型チャネル内に配置され得る。ビームフォーミングは、マイクロフォンのアレイを使用して、各マイクロフォンが、各マイクロフォンを囲む小さいエリアから直接発する音に焦点を当てることができるようにする。ピックアップ領域が狭いため、マイクロフォンは、より大きい領域範囲を有するマイクロフォンよりも小さい周囲および部屋の反響ノイズを録音する傾向がある。アレイのマイクロフォンの間の既知の距離に基づくビームフォーミング技術は、改良された音の分離を提供する。マイクロフォンポート開口がＬ字形を形成するような一連の相互接続されたチャネル内のマイクロフォンポート開口のアレイの配置によって、電子デバイスは、３６０度の空間にまたがるように、入って来る音の波面を分解するために、ビームフォーミング機能を実行することができる。
【００２６】
[0043]図５Ａは、電子デバイスのケースのための１つのマイクロフォンポート設計を示す。ケース４００は、「Ｌ」字形の凹型チャネル４１２ａで構成された外面４０５を有する。３つのマイクロフォンポート開口４２０ａと、４２５ａと、４３０ａとは、「Ｌ」字形の凹型チャネル４１２ａの各角に配置される。１つのマイクロフォンポート開口４２０ａは、凹型チャネル４１２ａの端部４１５ａのより近くに配置され得、一方、第２のマイクロフォンポート開口４３０ａは、凹型チャネル４１２ａの端部４１０ａのより近くに配置され得る。第３のマイクロフォンポート開口４２５ａは、「Ｌ」字形チャネル４１２ａの２つの脚の交点に配置され得る。図４Ｂに関して上記で論じられたように、３つのマイクロフォンの配置によって、電子デバイスは、周囲雑音を低減するために、ビームフォーミングを実行することができる。
【００２７】
[0044]上記で論じられた他のマイクロフォンポート設計と同様に、凹型チャネル４１２ａは、それが平均的な人間の指によって完全に覆われることができないような長さおよび幅を有し得る。凹型チャネル４１２ａの一部が外部環境にさらされる限り、空気は、マイクロフォンポート開口４２０ａ、４２５ａ、および４３０ａで閉じ込められたままではなく、したがって、ポップまたはスクラッチなど望ましくないノイズが低減される。
【００２８】
[0045]図５Ａのマイクロフォンポート設計が図５Ｂ、図５Ｃ、および図５Ｄの様々な回転された構成で示される。図５Ｂ、図５Ｃ、および図５Ｄの各々は、さらに９０度回転された図５Ａのマイクロフォンポート設計を示す。すべての構成において、マイクロフォンポート設計は、マイクロフォンポート開口４２０ｂ−ｄと、４２５ｂ−ｄと、４３０ｂ−ｄとが９０度の角度を形成する「Ｌ」形状を保持する。他の実施形態では、「Ｌ」字形のマイクロフォンポート設計は、０度と３６０度との間の任意の度数回転され得る。マイクロフォンポート開口４２０ａ−ｄと、４２５ａ−ｄと、４３０ａ−ｄとが図５Ａ〜図５Ｄに示すように９０度の角度を形成する場合、上記で論じられたように、ビームフォーミング機能が実行され得る。
【００２９】
[0046]図６Ａは、電子デバイス６００内でカメラアセンブリの端部からポーティングしているマイクロフォンを示す。この断面図では、マイクロフォンポート５は、チャネル１０内のある深さに配置される。マイクロフォンポート５は、チャネル１０の片側に配置されている。さらにまた、マイクロフォンは、電子デバイス内のカメラアセンブリ６７の端部からポーティングしている。いくつかの実施形態では、追加の開口６１、６２、６３、および６４は、アクティブノイズ消去（ＡＮＣ）のために使用されるものなど、受信機上のチャネル１０内に設けられ得る。
【００３０】
[0047]デバイス６００の裏側のビューが図６Ｂに示され得る。この図では、デバイス６００は、チャネルまたは溝１０が配置される裏面６０５を有する。マイクロフォンポート５は、溝１０の一端に配置されて示される。上記で論じられたように、追加の開口６１、６２、６３、および６４は、電子デバイス６００のアクティブなノイズ消去機能による援助のために、チャネル１０内に配置され得る。
【００３１】
[0048]平均的な人間の指によって部分的に覆われるマイクロフォンポート設計の１つの例が図７Ａに示される。図７Ａは、凹型チャネル５１０が人間の指５１５によって部分的に覆われる状態でマイクロフォンポート設計を有するハンドヘルドデバイス５００を示す。図示のように、人間の人さし指は、デバイス表面の上に示され、マイクロフォンポート設計５１０のチャネルを部分的に覆っている。しかしながら、指５１５は、凹型チャネル５１０の全長を完全に覆っていない。
【００３２】
[0049]図７Ａの例の線Ｃ−Ｃ’に沿った側断面図が図７Ｂに示される。指５１５がＺ軸においてマイクロフォンポート開口を閉塞している場合でも、マイクロフォンポート開口５０５周辺にチャネル５１０を設けることによって、音は依然としてＸ軸に沿って伝搬し得る。この設計は、完全なマイクロフォンの閉塞を回避することができ、指のスクラッチノイズを低減することができる。図示のように、Ｘ軸に沿って配向される凹型チャネル５１０の長さは、マイクロフォンポート開口を囲むエリアから空気を逃すことができるように、人間の指の平均幅の幅よりも長い。さらに、指は、平均的な人間の人さし指の寸法と比較して、チャネル５１０の幅が小さいため、全３つの寸法でマイクロフォンポート開口を完全に覆うわけではない。チャネル５１０の幅は狭いため、指の指球のエリアの大部分は、デバイスの表面の上にのっており、チャネルに押圧しない。より広いチャネルによって、マイクロフォンポート開口５０５の一部が覆われるまたは閉塞され得る。
【００３３】
[0050]図７Ｂに示すように、マイクロフォンポート開口５０５は、開口部がチャネル５１０の凹状面と面一でないように、チャネル内に配置され得る。電子デバイスの回路内のマイクロフォンの配置により、デバイス表面からより大きい深さでマイクロフォンポート開口５０５を配置することが有利であり得る。これは、たとえば、マイクロフォンが電子デバイス内でカメラアセンブリの端部からポーティングしている場合に行われ得、図６Ａに関して上記で論じられている。
【００３４】
実験の結果
[0051]従来のマイクロフォンポート設計対上記で論じられたように溝内に配置されたマイクロフォンポートからの記録されたスクラッチノイズのグラフ表現が図８に示される。実験は、マイクロフォンポートがチャネル内に配置される図１Ｂに示されるマイクロフォンポート設計を、図１Ａに示されるものなど、従来のマイクロフォンポート設計と比較して行われた。これらの実験では、従来のマイクロフォンポート設計の記録されたスクラッチノイズは、図１Ｂに示される提案されたマイクロフォンポート設計の記録されたスクラッチノイズよりも高い振幅を有している。
【００３５】
[0052]図８に示される記録されたスクラッチノイズ信号のスペクトルが図９に示される。図示のように、図１Ａに示されるものなど、従来のマイクロフォンポート設計は、０Ｈｚの近くで高振幅を有する雑音スペクトルを生成した。この高振幅信号ノイズは、アクティブノイズ消去システムをしばしば飽和させ得る。しかしながら、図１Ｂに示されるものなど、マイクロフォンポート設計は、０Ｈｚの近くで低振幅を有する白色雑音スペクトルを生成した。この信号は、アクティブノイズ消去システムを飽和させ得る信号よりもはるかに低く、従来のマイクロフォンポート設計と比較してユーザにより刺激の少ないスクラッチノイズ信号をもたらし得る。
【００３６】
専門用語に関する明確化
[0053]さらに、本明細書で開示する実装形態に関連して説明した様々な例示的な論理ブロック、モジュール、回路、およびプロセスステップは、電子ハードウェア、コンピュータソフトウェア、またはその両方の組合せとして実装され得ることを当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課される設計制約に依存する。当業者は、説明する機能を特定の適用例ごとに様々な方法で実装し得るが、そのような実装の決定は、本発明の範囲からの逸脱を生じるものと解釈されるべきではない。当業者は、ある一部分または一部が、全体よりも少ないかまたはそれに等しいものを備え得ることを認識されよう。たとえば、ピクセルの集合の一部分は、それらのピクセルの部分集合を指すことがある。
【００３７】
[0054]本明細書で開示する実装形態に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００３８】
[0055]本明細書で開示する実装形態に関して説明した方法またはプロセスのステップは、直接ハードウェアで具現化されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の非一時的記憶媒体中に常駐し得る。例示的なコンピュータ可読記憶媒体は、プロセッサがコンピュータ可読記憶媒体から情報を読み取り、コンピュータ可読記憶媒体に情報を書き込むことができるようにプロセッサに結合される。代替として、記憶媒体はプロセッサと一体化されてよい。プロセッサおよび記憶媒体はＡＳＩＣ中に常駐し得る。ＡＳＩＣは、ユーザ端末、カメラ、または他のデバイス中に常駐し得る。代替として、プロセッサおよび記憶媒体は、ユーザ端末、カメラ、または他のデバイス中に個別構成要素として常駐し得る。
【００３９】
[0056]本明細書には、参照のための、および様々なセクションを見つけるのを助けるための見出しが含まれる。これらの見出しは、見出しに関連して説明した概念の範囲を限定するものではない。そのような概念は、本明細書全体にわたって適用性を有し得る。
【００４０】
[0057]開示する実装形態の以上の説明は、当業者が本発明を作製または使用することができるように与えたものである。これらの実装形態への様々な修正は当業者には容易に明らかになり、本明細書で定義した一般原理は、本発明の趣旨または範囲から逸脱することなく他の実装形態に適用され得る。したがって、本発明は、本明細書で示した実装形態に限定されるものではなく、本明細書で開示した原理および新規の特徴に一致する最も広い範囲を与られるべきである。
以下に、出願当初の特許請求の範囲に記載された発明を付記する。
［Ｃ１］
長さが幅よりも大きいように、前記長さ、前記幅、および深さを有する少なくとも１つの細長いチャネルを備える第１の表面と、
マイクロフォンポートが前記第１の表面のレベルの下に配置されるように、前記チャネル内に配置された少なくとも１つのマイクロフォンポートとを備え、前記チャネルが、前記細長いチャネルがユーザの指によって接触される場合、空気の振動を前記細長いチャネル内から逃すことが可能なように構成される
ハンドヘルド電子デバイス。
［Ｃ２］
前記チャネルの前記長さが前記深さよりも大きい、Ｃ１に記載のデバイス。
［Ｃ３］
前記チャネルの前記深さが前記チャネルの前記幅の約１／２である、Ｃ１に記載のデバイス。
［Ｃ４］
前記マイクロフォンポートが前記チャネル内で窪んでいる、Ｃ１に記載のデバイス。
［Ｃ５］
前記少なくとも１つの細長いチャネルが、互いに対して９０度に位置決めされる２つチャネルを備える、Ｃ１に記載のデバイス。
［Ｃ６］
前記少なくとも１つのマイクロフォンポートが、前記チャネルの両端に位置決めされる２つのマイクロフォンポートを備える、Ｃ１に記載のデバイス。
［Ｃ７］
デバイスの第１の軸に沿って配向される第１の細長いチャネルと、前記第１のチャネルと第２のチャネルとが交差するように前記デバイスの第２の軸に沿って配向される前記第２の細長いチャネルとを有する第１の表面と、
前記チャネル内の前記チャネルの交点に配置される第１のマイクロフォンポートと、
前記第１の細長いチャネル内に配置される第２のマイクロフォンポートと、
前記第２の細長いチャネル内に配置される第３のマイクロフォンポートと
を備えるハンドヘルドデバイス。
［Ｃ８］
前記チャネルが、前記第１のマイクロフォンポートと前記第２のマイクロフォンポートとが前記第１の細長いチャネルによって画定される第１の線に沿って配置され、前記第１のポートと前記第３のポートとが前記第２の細長いチャネルによって画定される第２の線に沿って配置されるように構成される、Ｃ７に記載のデバイス。
［Ｃ９］
前記第１および第２の線が９０度の角度で交差する、Ｃ８に記載のデバイス。
［Ｃ１０］
前記チャネルが「Ｌ」字形であり、前記第１のマイクロフォンが前記交点に配置され、前記第２のマイクロフォンが前記第１のチャネルの第１の端部に配置され、前記第３のマイクロフォンが前記第２のチャネルの端部に配置される、Ｃ７に記載のデバイス。
［Ｃ１１］
前記デバイスが、セルフォンまたはタブレット型コンピュータである、Ｃ７に記載のデバイス。
［Ｃ１２］
前記第１の表面が、前記デバイスの裏面である、Ｃ７に記載のデバイス。
［Ｃ１３］
前記第１の細長いチャネルが、その幅よりも大きい長さを有する、Ｃ７に記載のデバイス。
［Ｃ１４］
前記第２の細長いチャネルが、その幅よりも大きい長さを有する、Ｃ１３に記載のデバイス。
［Ｃ１５］
前記第１の細長いチャネルが、前記デバイスの前面の凹型チャネルである、Ｃ７に記載のデバイス。
［Ｃ１６］
第１の表面と、
前記第１の表面の下に第１のマイクロフォンポート開口を位置決めするための手段と、
前記第１の表面の下に第２のマイクロフォンポート開口を位置決めするための手段と、
前記第１の表面の下に第３のマイクロフォンポート開口を配置するための手段と
を備える電子デバイス。
［Ｃ１７］
第１のマイクロフォンを位置決めするための前記手段が、前記第１の表面に形成された細長いチャネルを備える、Ｃ１６に記載の電子デバイス。
［Ｃ１８］
前記第２のマイクロフォンを位置決めするための前記手段が、前記第１の表面に形成された細長いチャネルを備える、Ｃ１６に記載の電子デバイス。
［Ｃ１９］
前記第１のマイクロフォンポートを配置するための前記手段と、前記第２のマイクロフォンポートを位置決めするための前記手段とが、同じ細長いチャネルである、Ｃ１６に記載の電子デバイス。
［Ｃ２０］
前記細長いチャネルが、前記電子デバイスの裏面である、前記第１の表面に形成される、Ｃ１９に記載の電子デバイス。
【図１Ａ】
0006306043.tif 000002
【図１Ｂ】
0006306043.tif 000003
【図２Ａ】
0006306043.tif 000004
【図２Ｂ】
0006306043.tif 000005
【図３Ａ】
0006306043.tif 000006
【図３Ｂ】
0006306043.tif 000007
【図４Ａ】
0006306043.tif 000008
【図４Ｂ】
0006306043.tif 000009
【図５Ａ】
0006306043.tif 000010
【図５Ｂ】
0006306043.tif 000011
【図５Ｃ】
0006306043.tif 000012
【図５Ｄ】
0006306043.tif 000013
【図６Ａ】
0006306043.tif 000014
【図６Ｂ】
0006306043.tif 000015
【図７Ａ】
0006306043.tif 000016
【図７Ｂ】
0006306043.tif 000017
【図８】
0006306043.tif 000018
【図９】
0006306043.tif 000019